(57)【要約】【課題】複数の視点でトナーの残量に関する情報を表示し、トナー容器の発注タイミングをわかりやすくする。【解決手段】画像形成装置は、印刷部、トナー容器、記憶部、操作パネル、制御部を含む。記憶部は印刷ジョブの情報（実績情報）を記憶する。第１残量詳細画面を表示させる操作がなされたとき、制御部は、実績情報に基づき、被認証者の第１ページ消費量（１ページあたりのトナーの消費量）と第１基準消費量（１日あたりのトナーの平均消費量）を求める。制御部は、第１ページ消費量でトナー残量を除して第１枚数を求める。制御部は、トナー残量を第１基準消費量で除して第１日数を求める。【選択図】図５
2019139019.tif 000002
【特許請求の範囲】
【請求項１】
トナーを用いて印刷を行う印刷部と、
補給に用いる前記トナーを収容し、交換可能なトナー容器と、
トナー残量を求めるための残量情報を記憶する記憶部と、
表示パネルと操作部を含む操作パネルと、
前記残量情報に基づき前記トナー残量を求める制御部と、を含み、
前記記憶部は、
使用者を認証するための使用者情報と、
実行された印刷ジョブの情報である実績情報を記憶し、
前記制御部は、
前記使用者情報に基づき、前記印刷ジョブの実行者を認識し、
前記印刷ジョブの実行者名を含む前記実績情報を前記記憶部に記憶させ、
前記操作パネルに入力された認証用情報と前記使用者情報に基づき使用者を認証し、
前記実績情報に基づき、認証した使用者である被認証者の印刷物の１ページあたりのトナーの消費量である第１ページ消費量と前記被認証者の１日あたりのトナーの平均消費量である第１基準消費量を求め、
求めた前記第１ページ消費量で前記トナー残量を除して、前記被認証者が印刷可能な枚数である第１枚数を求め、
前記トナー残量を求めた前記第１基準消費量で除して、前記被認証者が印刷可能な日数である第１日数を求め、
求めた前記第１枚数と、求めた前記第１日数を前記第１残量詳細画面に表示させ、
前記実績情報は、前記印刷ジョブの実行者、実行日時、印刷枚数、印刷に用いられた画像データの平均画素値を含むことを特徴とする画像形成装置。
【請求項２】
前記制御部は、
前記実績情報に基づき使用者ごとに、新たな前記トナー容器が取り付けられてから交換されるまでの期間である対象期間内での印刷枚数である第１印刷枚数を求め、
前記実績情報に基づき使用者ごとに、前記対象期間内に実行された各前記印刷ジョブに用いられた画像データの前記平均画素値の平均である第１平均値を求め、
使用者ごとに、前記第１印刷枚数と前記第１平均値を乗じて第１乗算値を求め、
各使用者の前記第１乗算値を足しあわせて第１積算値を求め、
前記被認証者の前記第１乗算値を前記第１積算値で除した値に、満杯時の前記トナー容器のトナー量である満杯量を乗じて、前記被認証者の前記対象期間内でのトナー消費量である第１期間内使用量を求め、
前記第１期間内使用量を前記被認証者の前記第１印刷枚数で除して前記第１ページ消費量を求め、
求めた前記第１ページ消費量に、前記対象期間内での前記被認証者の１日あたりの平均印刷枚数を乗じて前記第１基準消費量を求めることを特徴とする請求項１に記載の画像形成装置。
【請求項３】
前記制御部は、
前記第１残量詳細画面内に第１実績詳細ボタンを表示させ、
前記第１実績詳細ボタンが操作されたとき、第１実績画面を前記表示パネルに表示させ、
前記被認証者の前記第１ページ消費量と、前記第１基準消費量と、前記被認証者の１日あたりの平均印刷枚数を前記第１実績画面内に表示させることを特徴とする請求項２に記載の画像形成装置。
【請求項４】
前記制御部は、
前記第１残量詳細画面内に第１推奨機能例ボタンを表示させ、
前記第１推奨機能例ボタンが操作されたとき、第１推奨画面を前記表示パネルに表示させ、
トナー消費削減に有効な第１推奨設定値を前記第１推奨画面内に表示させることを特徴とする請求項２に記載の画像形成装置。
【請求項５】
前記制御部は、
前記第１推奨設定値の設定パターンを複数、前記第１推奨画面内に表示させ、
前記設定パターンを適用したときの前記第１枚数の推定値を前記表示パネルに表示させることを特徴とする請求項４に記載の画像形成装置。
【請求項６】
前記記憶部は、使用者が属するグループを定義した前記使用者情報を記憶し、
前記制御部は、
前記グループボタンを前記表示パネルに表示させ、
前記グループボタンが操作されたとき、
前記被認証者が属するグループである所属グループを認識し、
前記実績情報に基づき、前記グループでの１ページあたりのトナーの消費量である第２ページ消費量と、前記グループの１日あたりのトナーの消費量である第２基準消費量と、を求め、
前記トナー残量を求めた前記第２ページ消費量で除して、前記所属グループで印刷可能な枚数である第２枚数を求め、
前記トナー残量を求めた前記第２基準消費量で除して、前記所属グループで印刷可能な日数である第２日数を求め、
求めた前記第２枚数と、求めた前記第２日数を前記第２残量詳細画面に表示させることを特徴とする請求項１乃至５の何れか１項に記載の画像形成装置。
【請求項７】
前記制御部は、
前記実績情報に基づき前記グループごとに、新たな前記トナー容器が取り付けられてから交換されるまでの期間である対象期間内に印刷した枚数である第２印刷枚数を求め、
前記実績情報に基づき前記グループごとに、前記対象期間内に実行された各前記印刷ジョブでの各画像データの前記平均画素値の平均である第２平均値を求め、
同じ前記グループの前記第２印刷枚数と前記第２平均値を乗じて第２乗算値を求め、
各前記グループの前記第２乗算値を足しあわせた第２積算値を求め、
前記所属グループの前記第２乗算値を前記第２積算値で除した値に、満杯時の前記トナー容器のトナー量である満杯量を乗じて、前記所属グループの前記対象期間内でのトナー消費量である第２期間内使用量を求め、
前記所属グループの前記第２印刷枚数で前記第２期間内使用量を除して前記第２ページ消費量を求め、
求めた前記第２ページ消費量に、前記対象期間内での前記所属グループの１日あたりの平均印刷枚数を乗じて、前記第２基準消費量を求めることを特徴とする請求項６に記載の画像形成装置。
【請求項８】
前記制御部は、
前記第２残量詳細画面内に第２実績詳細ボタンを表示させ、
前記第２実績詳細ボタンが操作されたとき、第２実績画面を前記表示パネルに表示させ、
前記所属グループの前記第２ページ消費量と、前記第２基準消費量と、前記所属グループの１日あたりの平均印刷枚数を前記第２実績画面内に表示させることを特徴とする請求項７に記載の画像形成装置。
【請求項９】
前記制御部は、
前記第２残量詳細画面内に第２推奨機能例ボタンを表示させ、
前記第２推奨機能例ボタンが操作されたとき、第２推奨画面を前記表示パネルに表示させ、
トナー消費削減に有効な第２推奨設定値を前記第２推奨画面内に表示させることを特徴とする請求項８に記載の画像形成装置。
【請求項１０】
前記制御部は、
前記第２推奨設定値の設定パターンを複数、前記第２推奨画面内に表示させ、
前記設定パターンを適用したときの前記第２枚数の推定値を前記表示パネルに表示させることを特徴とする請求項９に記載の画像形成装置。
【請求項１１】
前記制御部は、
前記全体ボタンを前記表示パネルに表示させ、
前記全体ボタンが操作されたとき、前記実績情報に基づき、前記１ページあたりのトナーの消費量の平均値である第３ページ消費量と、１日あたりのトナーの消費量の平均値である第３基準消費量と、を求め、
前記トナー残量を求めた前記第３ページ消費量で除して第３枚数を求め、
前記トナー残量を求めた前記第３基準消費量で除して、第３日数を求め、
求めた前記第３枚数と、求めた前記第３日数を前記第３残量詳細画面に表示させることを特徴とする請求項１乃至１０の何れか１項に記載の画像形成装置。
【請求項１２】
前記制御部は、
前記実績情報に基づき新たな前記トナー容器が取り付けられてから交換されるまでの期間である対象期間内に印刷した枚数である第３印刷枚数を求め、
満杯時の前記トナー容器のトナー量である満杯量を前記第３印刷枚数で除して前記第３ページ消費量を求め、
求めた前記第３ページ消費量に、前記対象期間内での１日あたりの平均印刷枚数を乗じて、前記第３基準消費量を求めることを特徴とする請求項１１に記載の画像形成装置。
【請求項１３】
前記制御部は、
前記第３残量詳細画面内に第３実績詳細ボタンを表示させ、
前記第３実績詳細ボタンが操作されたとき、第３実績画面を前記表示パネルに表示させ、
前記第３ページ消費量と、前記第３基準消費量と、１日あたりの平均印刷枚数を前記第３実績画面内に表示させることを特徴とする請求項１２に記載の画像形成装置。
【請求項１４】
前記制御部は、
前記第３残量詳細画面内に第３推奨機能例ボタンを表示させ、
前記第３推奨機能例ボタンが操作されたとき第３推奨画面を前記表示パネルに表示させ、
トナー消費削減に有効な第３推奨設定値を前記第３推奨画面内に表示させることを特徴とする請求項１３に記載の画像形成装置。
【請求項１５】
前記制御部は、
前記第３推奨設定値の設定パターンを複数、前記第３推奨画面内に表示させ、
前記設定パターンを適用したときの前記第３枚数の推定値を前記表示パネルに表示させることを特徴とする請求項１４に記載の画像形成装置。
【発明の詳細な説明】
【技術分野】
【０００１】
本発明は、トナーを用いて印刷を行い、トナー残量を表示する画像形成装置に関する。
【背景技術】
【０００２】
複合機、複写機、プリンター、ＦＡＸ装置といった画像形成装置がある。これらの画像形成装置には、トナーを用いて印刷するものがある。印刷によりトナーは消費される。補給用トナーを収容する容器が画像形成装置に取り付けられる。容器が空になると、トナー不足により、印刷ができなくなる。そこで、トナー残量に基づきアドバイスする装置の一例が特許文献１に記載されている。
【０００３】
特許文献１には、印刷装置を制御し、印刷装置で実行された印刷に関する第１の統計情報と、印刷装置に要求した印刷に関する第２の統計情報と、を取得し、前記第１の統計情報と前記第２の統計情報とを比較して、印刷方法についてのアドバイスを通知し、印刷予定の印刷データに関する情報を取得し、前記印刷データに関する情報から印刷する場合のトナー消費量を予測し、予測したトナー消費量がトナー残量よりも少ない場合、トナーの交換または印刷のキャンセルを促すアドバイスを通知する印刷制御装置が記載されている（特許文献１：請求項１、２参照）。
【先行技術文献】
【特許文献】
【０００４】
【特許文献１】特開２０１２−２２１１４０号公報
【発明の概要】
【発明が解決しようとする課題】
【０００５】
画像形成装置では、トナー残量の表示を行うことがある。例えば、複数段の目盛でトナー残量を示すことがある。例えば、満杯時は全ての目盛りが表示される。トナー残量が少なくなるほど、点灯される目盛りが減る。この場合、使用者は、点灯されている（表示されている）目盛りの数により、トナー残量の大まかなレベルを知る。
【０００６】
しかし、印刷頻度は画像形成装置の使用環境により異なる。同じトナー残量でも、頻繁に印刷される環境では、トナーが無くなるまでの時間は短くなる。反対に、あまり印刷されない環境では、トナーが無くなるまでの時間は長くなる。そのため、単に目盛りで表示するだけでは、あとどれくらい印刷できるか判断することが難しいという問題がある。また、トナー容器を発注すべきか否かを判定しづらい。
【０００７】
ここで、特許文献１に記載の技術では、予測したトナー消費量が実際のトナー残量よりも少ない場合、トナーの交換または印刷のキャンセルを促すのみである。いわば、周期的な広告のように、トナーの交換または印刷のキャンセルを促す。実際のトナー残量は関係が無い。トナーがほぼ満杯でもトナーの交換または印刷のキャンセルが促される可能性がある（特許文献１：段落［００８６］）。従って、特許文献１記載の技術では、上記の問題を解決することができない。
【０００８】
本発明は、上記従来技術の問題点に鑑み、複数の視点でトナーの残量に関する情報を表示し、トナー容器の発注タイミングをわかりやすくする。
【課題を解決するための手段】
【０００９】
本発明に係る画像形成装置は、印刷部、トナー容器、記憶部、操作パネル、制御部を含む。前記印刷部は、トナーを用いて印刷を行う。前記トナー容器は補給に用いる前記トナーを収容する。前記トナー容器は交換可能である。前記記憶部はトナー残量を求めるための残量情報を記憶する。前記操作パネルは表示パネルと操作部を含む。前記制御部は、前記残量情報に基づき前記トナー残量を求める。前記記憶部は、使用者を認証するための使用者情報を記憶する。また、前記記憶部は、実行された印刷ジョブの情報である実績情報を記憶する。前記制御部は、前記使用者情報に基づき、前記印刷ジョブの実行者を認識する。前記制御部は、前記印刷ジョブの実行者名を含む前記実績情報を前記記憶部に記憶させる。前記制御部は、前記操作パネルに入力された認証用情報と前記使用者情報に基づき使用者を認証する。前記制御部は、前記実績情報に基づき、認証した使用者である被認証者の印刷物の１ページあたりのトナーの消費量である第１ページ消費量と前記被認証者の１日あたりのトナーの平均消費量である第１基準消費量を求める。前記制御部は、求めた前記第１ページ消費量で前記トナー残量を除して、前記被認証者が印刷可能な枚数である第１枚数を求める。前記制御部は、前記トナー残量を求めた前記第１基準消費量で除して、前記被認証者が印刷可能な日数である第１日数を求める。前記制御部は、求めた前記第１枚数と、求めた前記第１日数を前記第１残量詳細画面に表示させる。前記実績情報は、前記印刷ジョブの実行者、実行日時、印刷枚数、印刷に用いられた画像データの平均画素値を含む。
【発明の効果】
【００１０】
本発明によれば、複数の視点でトナーの残量に関する情報を表示することができる。多様なトナーの残量に関する情報を表示することができる。また、トナー容器の発注タイミングがわかりやすくなる。
【図面の簡単な説明】
【００１１】
【図１】実施形態に係る画像形成装置の一例を示す図である。
【図２】実施形態に係る画像形成装置でのトナー補給の一例を示す図である。
【図３】実施形態に係る画像形成装置が記憶する情報の一例を示す図である。
【図４】実施形態に係るログイン画面の一例を示す図である。
【図５】実施形態に係るＢｋの第１残量詳細画面の表示の流れの一例を示す図である。
【図６】実施形態に係るＢｋの第１残量詳細画面の一例を示す図である。
【図７】実施形態に係る第１実績画面の一例を示す図である。
【図８】実施形態に係る第１推奨画面の一例を示す図である。
【図９】実施形態に係るカラーの第１残量詳細画面の表示の流れの一例を示す図である。
【図１０】実施形態に係るカラーの第１残量詳細画面の一例を示す図である。
【図１１】実施形態に係るＢｋの第２残量詳細画面の表示の流れの一例を示す図である。
【図１２】実施形態に係るＢｋの第２残量詳細画面の一例を示す図である。
【図１３】実施形態に係る第２実績画面の一例を示す図である。
【図１４】実施形態に係る第２推奨画面の一例を示す図である。
【図１５】実施形態に係るカラーの第２残量詳細画面の表示の一例を示す図である。
【図１６】実施形態に係るカラーの第２残量詳細画面の一例を示す図である。
【図１７】実施形態に係るＢｋの第３残量詳細画面の表示の流れの一例を示す図である。
【図１８】実施形態に係るＢｋの第３残量詳細画面の一例を示す図である。
【図１９】実施形態に係る第３実績画面の一例を示す図である。
【図２０】実施形態に係る第３推奨画面の一例を示す図である。
【図２１】実施形態に係るカラーの第３残量詳細画面の表示の一例を示す図である。
【図２２】実施形態に係るカラーの第３残量詳細画面の一例を示す図である。
【図２３】他の実施形態の一例を示す図である。
【発明を実施するための形態】
【００１２】
以下、本発明の実施形態を図１〜図２３を用いて、説明する。本説明で挙げる画像形成装置１００は、トナーを用いて印刷する複合機である。複合機は、コピー機能、スキャン機能、送信機能などを備える。なお、画像形成装置１００は、複合機以外のものでもよい。但し、各実施の形態に記載されている構成、配置等の各要素は、発明の範囲を限定するものではなく単なる説明例にすぎない。
【００１３】
（画像形成装置１００の概要）
まず、図１を用いて、実施形態に係る画像形成装置１００の概要を説明する。図１は、実施形態に係る画像形成装置１００の一例を示す図である。
【００１４】
画像形成装置１００は制御部１と記憶部２を含む。制御部１は画像形成装置１００の動作を制御する。制御部１はＣＰＵ１１、画像処理回路１２、時計回路１３を含む基板である。記憶部２は制御用のプログラムとデータを記憶する。記憶部２は、ＲＡＭのような揮発性の記憶装置を含む。また、記憶部２は、ＲＯＭ、フラッシュＲＯＭ、ＨＤＤのような不揮発性の記憶装置を含む。
【００１５】
ＣＰＵ１１は制御、演算を行う集積回路である。ＣＰＵ１１は、記憶部２の記憶内容に基づき各部の制御、各種の演算処理を行う。画像処理回路１２は、印刷用画像データを生成する。コピージョブのとき、画像読取部１４の読み取りで得られた画像データに基づき、画像処理回路１２は、印刷用画像データを生成する。プリントジョブのとき、画像処理回路１２は、通信部１５が受信したデータを解析して画像データを生成する。画像処理回路１２は生成した画像データに基づき、印刷用画像データを生成する。時計回路１３は日時、時刻を測る。
【００１６】
画像形成装置１００は操作パネル３を含む、操作パネル３は、表示パネル３１、タッチパネル３２（操作部に相当）、ハードキー３３（操作部に相当）を含む。制御部１は、各種設定画面、操作用画像を表示パネル３１に表示させる。操作用画像は、例えば、ボタン、キー、タブである。また、制御部１は使用者への通知を表示パネル３１に表示させる。表示パネル３１に対し、タッチパネル３２が取り付けられる。タッチパネル３２はタッチ位置を検知する。タッチパネル３２の出力に基づき、制御部１は操作された操作用画像を認識する。また、画像形成装置１００は画像読取部１４を含む。画像読取部１４は、原稿を読み取って画像データを生成する。
【００１７】
画像形成装置１００は印刷部４を含む。印刷部４はトナーを用いて印刷する。印刷部４は給紙部４ａ、用紙搬送部４ｂ、画像形成部４ｃ、中間転写部４ｄ、定着部４ｅを含む。制御部１は、給紙部４ａ、用紙搬送部４ｂ、画像形成部４ｃ、定着部４ｅの動作を制御する。制御部１は、給紙、用紙搬送、トナー像の形成、転写、定着のような印刷関連処理を制御する。印刷ジョブ（コピージョブやプリントジョブ）のとき、制御部１は、用紙を１枚ずつ給紙部４ａに供給させる。制御部１は、供給された用紙を用紙搬送部４ｂに搬送させる。制御部１は、画像データに基づくトナー像を画像形成部４ｃに形成させる。画像形成装置１００はカラーへ印刷可能である。そのため、画像形成部４ｃは、第１画像形成ユニット４０ａ、第２画像形成ユニット４０ｂ、第３画像形成ユニット４０ｃ、第４画像形成ユニット４０ｄを含む。第１画像形成ユニット４０ａはブラックのトナー像を形成する。第２画像形成ユニット４０ｂはイエローのトナー像を形成する。第３画像形成ユニット４０ｃは、シアンのトナー像を形成する。第４画像形成ユニット４０ｄは、マゼンタのトナー像を形成する。
【００１８】
各画像形成ユニットは同様の構成である。各画像形成ユニットは、感光体ドラム、帯電装置、現像装置４２、クリーニング装置を含む。また、画像形成部４ｃは、露光装置を含む。帯電装置は感光体ドラムを帯電させる。露光装置は、画像データに基づき、帯電された各感光体ドラムを走査、露光する。これにより、感光体ドラム上に静電潜像が形成される。現像装置４２はトナーで静電潜像を現像する。クリーニング装置は、感光体ドラムに残る不要トナーを回収する。
【００１９】
中間転写部４ｄは、例えば、周回する中間転写ベルト４１を含む。カラー印刷のとき、各色のトナー像が中間転写ベルト４１で重畳される。なお、モノクロ印刷のときは、制御部１は、第１画像形成ユニット４０ａにのみトナー像を形成させる。制御部１は、ブラックのトナー像の中間転写ベルト４１への１次転写を中間転写部４ｄに行わせる。中間転写部４ｄは、搬送される用紙に、中間転写ベルト４１上のトナー像を２次転写する。制御部１は用紙のトナー像を定着部４ｅに定着させる。用紙搬送部４ｂは定着後の用紙を機外に排出する。印刷済の用紙は排出トレイ（不図示）に排出される。
【００２０】
また、画像形成装置１００は通信部１５を含む。通信部１５は、通信用の各種ソケット、通信用回路、通信用ソフトウェアを備える。通信部１５は、ネットワークを介して、ＰＣやサーバーのようなコンピューター２００と通信する。通信部１５は、コンピューター２００から送信されたプリントジョブデータを受信する。制御部１は、受信したプリントジョブデータに基づく印刷を印刷部４に行わせる。また、通信部１５は、ネットワークを介して、他の画像形成装置１００と通信できる。
【００２１】
（トナー補給の概要）
次に、図２を用いて、実施形態に係る現像装置４２へのトナー補給の概要を説明する。図２は、実施形態に係る画像形成装置１００でのトナー補給の一例を示す図である。
【００２２】
図２に示すように、画像形成装置１００はトナー容器５が取り付けられる。４色分のトナー容器５が取り付けられる。トナー容器５はトナーコンテナーと称されることもある。トナー容器５は、現像装置４２に補給するためのトナーを収容する。画像形成装置１００内にトナー容器５が取り付けられる。画像形成装置１００のカバーを開けることにより、トナー容器５の着脱を行うことができる。トナー容器５が空になったとき、使用者は新たなトナー容器５への交換を行う。
【００２３】
トナー容器５ごとに補給機構５１が設けられる。それぞれの補給機構５１は、第１補給管５２、投入部５３、第２補給管５４を含む。各補給機構５１は、トナー容器５からトナーを取り込み、対応する現像装置４２にトナーを投入する。図２では、便宜状、ブラックの補給機構５１のみ図示している。しかし、各補給機構５１は同様の構成である。
【００２４】
現像装置４２には現像センサー４２ａが設けられる。現像センサー４２ａは、現像装置４２内のトナー量が規定量以下になったことを検知する。現像センサー４２ａの出力は制御部１に入力される。現像センサー４２ａの出力に基づき、制御部１はトナー量が規定量以下になった現像装置４２を認識できる。制御部１は、トナー量が規定量以下になった現像装置４２に対応する補給機構５１を動作させる。
【００２５】
第１補給管５２は、トナー容器５と投入部５３を繋ぐ管である。第２補給管５４は、投入部５３と現像装置４２を繋ぐ管である。トナー容器５のトナーは、第１補給管５２、第２補給管５４を通って、現像装置４２に投入される。投入部５３は、補給モーター５５と補給スクリュー５６を含む。トナーを補給するとき、制御部１は補給モーター５５を動作させる。補給スクリュー５６は、トナー容器５から現像装置４２に向けてトナーを搬送する。補給スクリュー５６は、回転軸に螺旋状に羽根が設けられたものである。制御部１は、補給スクリュー５６（補給モーター５５）を予め定められた補給時間回転させる。補給スクリュー５６の回転により、トナー容器５のトナーが現像装置４２に投入される。
【００２６】
（残量の算出）
次に、図３を用いて、実施形態に係る画像形成装置１００でのトナー残量の算出の一例を説明する。図３は、実施形態に係る画像形成装置１００が記憶する情報の一例を示す図である。
【００２７】
図３に示すように、記憶部２は残量情報６を不揮発的に記憶する。残量情報６は、トナー残量を求めるための情報である。残量情報６は色ごとに記憶される。例えば、残量情報６はドットカウント値である。
【００２８】
各トナー容器５には、コンテナーメモリー５０が設けられる。コンテナーメモリー５０は不揮発性のメモリーである。コンテナーメモリー５０はトナー容器５に関する情報を記憶する。制御部１と各コンテナーメモリー５０は通信可能に接続される。制御部１はコンテナーメモリー５０に残量情報６を記憶させる。また、制御部１は、各色の残量情報６を記憶部２に不揮発的に記憶させてもよい。
【００２９】
制御部１は、印刷ジョブのとき、各ページの印刷用画像データに基づき、トナーを載せるドットを数える。制御部１は、色ごとにトナーを載せるドットを数える。例えば、印刷ジョブが完了したとき、制御部１は記憶部２やコンテナーメモリー５０に残量情報６を更新させる。具体的に、制御部１は、印刷ジョブ前の残量情報６（ドットカウント値）に、数えたドットを加算する。残量情報６は、トナー容器５の使用が開始されてから今まで数えたドットを積算した値となる。
【００３０】
各トナー容器５のコンテナーメモリー５０には、印刷可能カウント値６１が記憶される。制御部１は、コンテナーメモリー５０から読み出した印刷可能カウント値６１を記憶部２に不揮発的に記憶させてもよい。印刷可能カウント値６１は予め定められる。例えば、印刷可能カウント値６１は、満杯時にトナー容器５が収容するトナー量を、１ドットあたりのトナー消費量で除した値である。残量情報６が印刷可能カウント値６１になったとき、制御部１は、そのトナー容器５が空になったと判定する。
【００３１】
制御部１は、色ごとに、トナー容器５が取り替えられたことを認識できる。例えば、コンテナーメモリー５０に格納される残量情報６と記憶部２に記憶される残量情報６と異なるとき、制御部１は、トナー容器５が取り替えられたと認識する。例えば、コンテナーメモリー５０に格納される残量情報６（ドットカウント値）がゼロになったとき、制御部１は、新たなトナー容器５が取り付けられたと認識する。
【００３２】
また、制御部１は、色ごとに、残量比率を求めることができる。残量比率は、満杯時のトナー量に対する現在のトナー量の比率である。制御部１は、印刷可能カウント値６１から残量情報６を減じた値を、印刷可能カウント値６１で除した値に１００を乗ずることにより、残量比率を求めることができる。求めた残量比率のうち、制御部１は、小数点以下の値を切り捨てる（切り上げ、四捨五入でもよい）。
【００３３】
さらに、制御部１は、色ごとに、トナー容器５に残るトナーの量（トナー残量）を求めることができる。各トナー容器５のコンテナーメモリー５０には、満杯量６２が記憶される。満杯量６２は、満杯時にトナー容器５が収容するトナー量である。満杯量６２の単位は、例えば、グラムである。制御部１は、コンテナーメモリー５０から読み出した満杯量６２を記憶部２に不揮発的に記憶させてもよい。制御部１は、満杯量６２に残量比率を乗ずることにより、トナー残量を求められる。
【００３４】
（使用者の認証）
次に、図３、図４を用いて、実施形態に係る画像形成装置１００での使用者の認証の一例を説明する。図４は、実施形態に係るログイン画面３ａの一例を示す図である。
【００３５】
まず、図３に示すように、記憶部２は使用者情報７を不揮発的に記憶する。使用者情報７は画像形成装置１００を使用可能な者の情報である。使用者情報７は、使用者名７１、パスワード７２、グループ７３、使用コンピューターデータ７４といった情報を含む。使用可能者が複数いる場合、各使用者の使用者情報７が予め記憶部２に登録される。
【００３６】
コピージョブのように、操作パネル３を操作して印刷ジョブを行う場合、使用者は、認証を受けるための情報（認証用情報）を操作パネル３に入力する。図４は、認証用情報を入力するためのログイン画面３ａである。使用者を認証していない状態のとき（ログアウト状態のとき）、制御部１は、ログイン画面３ａを表示パネル３１に表示させる。
【００３７】
ログイン画面３ａは、名前入力欄３ｂとパスワード入力欄３ｃが設けられる。名前入力欄３ｂをタッチしたとき、及び、パスワード入力欄３ｃをタッチしたとき、制御部１は、ソフトウェアキーボード画面を表示パネル３１に表示させる。認証を受けたい者は、ソフトウェアキーボードを用いて、名前とパスワード７２を認証用情報として入力する。
【００３８】
制御部１は、入力された認証用情報と使用者情報７を比較する。認証用情報と一致する使用者情報７があったとき、制御部１は、操作パネル３の操作者は、一致した使用者情報７に対応する使用者と認証する。これにより、制御部１は、操作パネル３をログイン状態とする。ログイン状態のとき、使用者は、ジョブに関する設定を行える。認証用情報と一致する使用者情報７がないとき、制御部１は認証不可と判定する。この場合、制御部１はログイン画面３ａを表示パネル３１に表示させ続ける。
【００３９】
（実績情報８の記憶）
次に、図３を用いて、実施形態に係る実績情報８の記憶の一例を説明する。印刷ジョブが実行されたとき、制御部１は、実績情報８を記憶部２に不揮発的に記憶させる。実績情報８は、実行された印刷ジョブの情報（履歴）である。図３に示すように、実績情報８は、印刷ジョブを実行した使用者（実行者８１）、実行日時８２、ページ数８３、平均画素値８４を含む。印刷ジョブが実行されるごとに、制御部１は、実績情報８を記憶部２に記憶させる。
【００４０】
制御部１は、実績情報８に実行者８１を含める。コピージョブのとき、被認証者を印刷ジョブの実行者８１とする。プリントジョブのとき、制御部１は、プリントジョブデータを送信したコンピューター名又はアドレスを認識する。使用者情報７は、使用者が使用するコンピューター２００に関する情報（使用コンピューターデータ）を記憶する。使用コンピューターデータは、使用者が使用するコンピューター名とアドレスの何れか又は両方を含む。プリントジョブデータを送信したコンピューター名又はアドレスに基づき、制御部１は、プリントジョブの実行者８１を認識する。
【００４１】
また、制御部１は、印刷ジョブの実行日時８２を実績情報８に含める。例えば、時計回路１３の出力に基づき、制御部１は印刷ジョブ開始時、又は、完了時の日時を認識する。制御部１は、認識した日時を実行日時８２として実績情報８に含める。また、制御部１は、印刷ジョブのページ数８３を実績情報８に含める。
【００４２】
平均画素値８４は、印刷に用いられた画像データの画素値の平均値である。印刷ジョブが複数ページを含むとき、制御部１は、全ページの平均画素値８４を求める。そして、制御部１は、平均画素値８４を実績情報８に含める。
【００４３】
カラー印刷のとき、制御部１（画像処理回路１２）は、ＣＭＹＫの画像データを生成する。制御部１は、色ごとに平均画素値８４を求める。カラー印刷のとき、制御部１は、４色（ＣＭＹＫ）のそれぞれの平均画素値８４を実績情報８に含める。なお、制御部１は、ＣＭＹＫの画像データに基づき、各色の印刷用画像データを生成する。
【００４４】
また、モノクロ印刷（白黒印刷）のとき、制御部１（画像処理回路１２）は、ＣＭＹＫの画像データを生成する。そして、制御部１は、ＣＭＹＫの画像データに基づき、グレーの画像データを生成する。制御部１は、濃いほど画素値が大きいグレーの画像データを生成する。制御部１は、グレーの画像データに含まれる各画素の画素値の平均値を平均画素値８４として求める。モノクロ印刷のとき、制御部１は、ブラックの平均画素値８４のみを実績情報８に含める。なお、制御部１は、グレーの画像データに基づき、印刷用画像データを生成する。
【００４５】
（第１残量詳細画面の表示）
次に、図５〜図１０を用いて、実施形態に係る第１残量詳細画面の表示の一例を説明する。図５は、実施形態に係るブラックの第１残量詳細画面９１ａの表示の流れの一例を示す図である。図６は実施形態に係るブラックの第１残量詳細画面９１ａの一例を示す図である。図７は、実施形態に係る第１実績画面９１ｂの一例を示す図である。図８は、実施形態に係る第１推奨画面９１ｃの一例を示す図である。図９は、実施形態に係るカラーの第１残量詳細画面９１ｄの表示の流れの一例を示す図である。図１０は実施形態に係るカラーの第１残量詳細画面９１ｄの一例を示す図である。
【００４６】
制御部１は、トナー残量に関する複数の情報を表示パネル３１に表示させる。操作パネル３が残量詳細画面を表示させるための操作を受け付けたとき、制御部１は、ブラックの第１残量詳細画面９１ａを表示パネル３１に表示させる。第１残量詳細画面９１ａは、被認証者個人のみが使用する場合の印刷可能枚数と、印刷可能日数を含む。
【００４７】
図５のスタートは、被認証者が操作パネル３に残量詳細画面を表示するための操作を行った時点である。言い換えると、残量詳細画面を表示するには、ログインしたうえで、所定の操作を行うことが必要である。
【００４８】
まず、制御部１は、対象期間内に実行された全ての印刷ジョブの実績情報８を抽出する（ステップ♯１１）。対象期間は、新たなトナー容器５が取り付けられてから交換されるまでの期間である。また、対象期間は、画像形成装置１００の使用開始から、最初にトナー容器５が交換されるまでの期間でもよい。抽出した実績情報８に基づき、制御部１は、使用者ごとにブラックの第１印刷枚数を求める（ステップ♯１２）。ブラックの第１印刷枚数は、対象期間内でのモノクロ印刷とカラー印刷の両方を対象とする。ブラックのトナーは、モノクロ印刷とカラー印刷の両方で用いられるからである。
【００４９】
抽出した実績情報８に基づき、使用者ごとに、制御部１はブラックの第１平均値を求める（ステップ♯１３）。この第１平均値は、対象期間内に実行された印刷ジョブの実績情報８に含まれるブラックの平均画素値８４の平均値である。言い換えると、制御部１は、抽出した実績情報８に含まれるブラックの平均画素値８４の平均を使用者ごとに求める。
【００５０】
制御部１は、使用者ごとに、ブラックの第１乗算値を求める（ステップ♯１４）。具体的に、制御部１は、同じ使用者のブラックの第１印刷枚数とブラックの第１平均値を乗じる。次に、制御部１はブラックの第１積算値を求める（ステップ♯１５）。具体的に、制御部１は、求めた各使用者のブラックの第１乗算値を足しあわせる。
【００５１】
制御部１は、ブラックの第１期間内使用量を求める（ステップ♯１６）。具体的に、制御部１は、被認証者のブラックの第１乗算値を、ブラックの第１積算値で除した値に、ブラックのトナーの満杯量６２を乗ずる。ブラックの第１期間内使用量は、対象期間内での被認証者のブラックのトナー消費量である。続いて、制御部１はブラックの第１ページ消費量Ａ１を求める（ステップ♯１７）。具体的に、制御部１は、被認証者のブラックの第１期間内使用量をブラックの第１印刷枚数で除す。ブラックの第１ページ消費量Ａ１は、１ページあたりのブラックトナーの平均消費量を示す。また、制御部１は、抽出した実績情報８に基づき、対象期間内での被認証者の１日あたりのブラックの平均印刷枚数Ｂ１を求める（ステップ♯１８）。制御部１は、被認証者の実績情報８のページ数の合計を対象期間の日数で除す。
【００５２】
制御部１は、第１基準消費量Ｃ１を求める（ステップ♯１９）。具体的に、制御部１は、求めたブラックの第１ページ消費量Ａ１に、求めたブラックの平均印刷枚数Ｂ１を乗ずる。ブラックの第１基準消費量Ｃ１は、被認証者が１日に消費するブラックトナーの平均量である。そして、制御部１は、ブラックのトナー残量を求める（ステップ♯１１０）。そして、制御部１は、ブラックの第１枚数Ｄ１ａと第１日数Ｅ１ａを求める（ステップ♯１１１）。
【００５３】
ブラックの第１枚数Ｄ１ａは、被認証者がモノクロ印刷可能な枚数である。言い換えると、ブラックの第１枚数Ｄ１ａは、被認証者のみが画像形成装置１００でモノクロ印刷する場合に、モノクロ印刷可能な枚数である。具体的に、ブラックの第１枚数Ｄ１ａを求めるとき、制御部１はブラックの第１ページ消費量Ａ１でブラックのトナー残量を除す。また、ブラックの第１日数Ｅ１ａは、被認証者が印刷可能な日数である。言い換えると、ブラックの第１日数Ｅ１ａは、被認証者のみが画像形成装置１００でモノクロ印刷する場合に、印刷可能な日数である。具体的に、制御部１は、ブラックのトナー残量をブラックの第１基準消費量Ｃ１で除す。そして、制御部１は、求めたブラックの第１枚数Ｄ１ａと第１日数Ｅ１ａをブラックの第１残量詳細画面９１ａに表示させる（ステップ♯１１２）。
【００５４】
図６は、ブラックの第１残量詳細画面９１ａの一例を示す。ブラックの第１残量詳細画面９１ａに、制御部１は、ブラックのトナーの残量比率、ブラックの第１枚数Ｄ１ａと第１日数Ｅ１ａを表示させる。これにより、使用者はブラックトナーの様々な情報を確認できる。
【００５５】
また、制御部１は、ブラックの第１残量詳細画面９１ａ内に、第１実績詳細ボタンＦ１を表示させる。ブラックの第１残量詳細画面９１ａの第１実績詳細ボタンＦ１が操作されたとき、制御部１は、ブラックのトナーに関する第１実績画面９１ｂを表示パネル３１に表示させる。図７は、第１実績画面９１ｂの一例を示す。制御部１は、被認証者のブラックの第１ページ消費量Ａ１、１日当たりの平均印刷枚数Ｂ１、第１基準消費量Ｃ１をブラックの第１実績画面９１ｂ内に表示させる。
【００５６】
また、制御部１は、ブラックの第１残量詳細画面９１ａ内に、第１推奨機能例ボタンＧ１を表示させる。ブラックの第１残量詳細画面９１ａの第１推奨機能例ボタンＧ１が操作されたとき、制御部１は、ブラックのトナーに関する第１推奨画面９１ｃを表示パネル３１に表示させる。図８は、第１推奨画面９１ｃの一例を示す。制御部１はトナー消費削減に有効な第１推奨設定値Ｈ１を第１推奨画面９１ｃ内に表示させる。
【００５７】
図８における「２ｉｎ１」は、２ページを１ページ内に集約する機能である。「エコプリント」は、画像データの各画素の濃度を意図的に減らす機能である。「Ｄｅｎｓｉｔｙ」は濃度を設定する機能である。「地色設定」は、原稿の地肌を判定し、画像データのうち、地肌色の画素を白色に変換する機能である。制御部１は、第１推奨設定値Ｈ１の設定パターンを複数、第１推奨画面９１ｃ内に表示させる。設定パターンを適用したときの第１枚数Ｄ１の推定値を表示パネル３１に表示させる。第１推奨設定値Ｈ１ごとに、係数が予め定められる。係数は１以上である。例えば、「２ｉｎ１」の係数は２である。制御部１は、求めたブラックの第１枚数Ｄ１ａに係数を乗じた値を第１枚数Ｄ１ａの推定値として表示する。
【００５８】
制御部１は、ブラックの第１印刷枚数、第１平均値、第１乗算値、第１積算値、第１期間内使用量、第１ページ消費量Ａ１、平均印刷枚数Ｂ１、第１基準消費量Ｃ１を記憶部２に不揮発的に記憶させてもよい。以後、被認証者が第１残量詳細画面９１ａを表示させる操作を行ったとき、制御部１は、ステップ♯１１〜ステップ♯１９をスキップしてもよい。そして、制御部１は、記憶部２が記憶する第１ページ消費量Ａ１、平均印刷枚数Ｂ１、第１基準消費量Ｃ１に基づき、ブラックの第１枚数Ｄ１ａと第１日数Ｅ１ａを求めてもよい。
【００５９】
ブラックトナーだけではなく、カラートナーに関する第１残量詳細画面９１ｄを表示させることもできる。図９は、実施形態に係るカラーの第１残量詳細画面９１ｄの表示の流れの一例を示す図である。
【００６０】
制御部は、各残量詳細画面にカラーボタンＫ１を表示させる。制御部１は、ブラックの第１残量詳細画面９１ａの表示中にカラーボタンＫ１が操作されたとき、制御部１は、カラートナーに関する第１残量詳細画面９１ｄを表示パネル３１に表示させる。図９のスタートはブラックの第１残量詳細画面９１ａの表示中、カラーボタンＫ１が操作された時点である。
【００６１】
まず、制御部１は、カラートナー（イエロー、シアン、マゼンタ）のトナーの残量比率を求める（ステップ♯２１）。そして、制御部１は、残量比率が最も小さい色（以下、最小色という）を認識する（ステップ♯２２）。次に、制御部１は、対象期間内に実行されたカラーの印刷ジョブの実績情報８を抽出する（ステップ♯２３）。次に、抽出したカラー印刷の実績情報８に基づき、制御部１は、使用者ごとにカラーの第１印刷枚数を求める（ステップ♯２４）。求める第１印刷枚数は対象期間内でのカラーでの印刷枚数である。
【００６２】
抽出した実績情報８に基づき、制御部１は、使用者ごとに、カラーの第１平均値を求める（ステップ♯２５）。この第１平均値は、対象期間内に実行されたカラー印刷の実績情報８に含まれる最小色の平均画素値８４の平均値である。言い換えると、制御部１は、抽出した実績情報８に含まれる最小色の平均画素値８４の平均を、使用者ごとに求める。このように、制御部１は、最小色についてのみ、第１平均値を求める。
【００６３】
制御部１は、使用者ごとに、カラーの第１乗算値を求める（ステップ♯２６）。具体的に、制御部１は、同じ使用者のカラーの第１印刷枚数とカラーの第１平均値を乗じる。次に、制御部１はカラーの第１積算値を求める（ステップ♯２７）。具体的に、制御部１は、求めた各使用者のカラーの第１乗算値を足しあわせる。
【００６４】
制御部１は、カラーの第１期間内使用量を求める（ステップ♯２８）。具体的に、制御部１は、被認証者のカラーの第１乗算値を、カラーの第１積算値で除した値に、最小色のトナーの満杯量６２を乗ずる。ここでの第１期間内使用量は、被認証者の対象期間内でのカラー印刷による最小色のトナー消費量である。続いて、制御部１は、カラーの第１ページ消費量を求める（ステップ♯２９）。具体的に、制御部１は、カラーの第１期間内使用量を被認証者のカラーの第１印刷枚数で除す。ここでの第１ページ消費量は、カラー印刷での１ページあたりの最小色の平均トナー消費量を示す。また、制御部１は、抽出した実績情報８に基づき、対象期間内での被認証者の１日あたりのカラーでの平均印刷枚数を求める（ステップ♯２１０）。制御部１は、被認証者のカラーの実績情報８のページ数の合計を対象期間の日数で除す。
【００６５】
制御部１は、カラーの第１基準消費量を求める（ステップ♯２１１）。具体的に、制御部１は、カラーの第１ページ消費量とカラーの平均印刷枚数とを乗ずる。カラーの第１基準消費量は、カラー印刷での１日あたりの最小色のトナーの平均消費量を示す。制御部１は最小色のトナー残量を求める（ステップ♯２１２）。制御部１は、カラーの第１枚数Ｄ１ｂと第１日数Ｅ１ｂを求める（ステップ♯２１３）。
【００６６】
第１枚数Ｄ１ｂは、被認証者が最小色を用いてカラー印刷可能な枚数である。具体的に、制御部１は、カラーの第１ページ消費量で最小色のトナー残量を除す。第１日数Ｅ１ｂは、被認証者が最小色を用いてカラー印刷可能な日数である。制御部１は、最小色のトナー残量をカラーの第１基準消費量で除す。制御部１は、カラーの第１枚数Ｄ１ｂと第１日数Ｅ１ｂを、カラーの第１残量詳細画面９１ｄに表示させる（ステップ♯２１４）。
【００６７】
図１０は、カラーの第１残量詳細画面９１ｄの一例を示す。制御部１は、カラートナーの残量比率、カラーの第１枚数Ｄ１ｂ、第１日数Ｅ１ｂをカラーの第１残量詳細画面９１ｄに表示させる。第１枚数Ｄ１ｂと第１日数Ｅ１ｂは最小色のトナー残量に基づき求められる。
【００６８】
また、制御部１は、カラーの第１残量詳細画面９１ｄ内に、第１実績詳細ボタンＦ１を表示させる。カラーの第１残量詳細画面９１ｄの第１実績詳細ボタンＦ１が操作されたとき、制御部１は、カラーの第１実績画面を表示パネル３１に表示させる（図７と同様）。制御部１は、カラーの第１実績画面内に、被認証者のカラーの第１ページ消費量、第１基準消費量、１日当たりのカラーでの平均印刷枚数を表示させる。
【００６９】
また、制御部１は、カラーの第１残量詳細画面９１ｄ内に、第１推奨機能例ボタンＧ１を表示させる。カラーの第１残量詳細画面９１ｄの第１推奨機能例ボタンＧ１が操作されたとき、制御部１は、カラートナーに関する第１推奨画面を表示パネル３１に表示させる（図８と同様）。制御部１は、トナー消費削減に有効な第１推奨設定値Ｈ１を表示させる。表示される第１推奨設定値Ｈ１は、モノクロ印刷とカラー印刷で変えてもよいし、同じでもよい。第１推奨設定値Ｈ１ごとに、係数が予め定められる。係数は１以上である。例えば、「２ｉｎ１」の係数は２である。制御部１は、カラーの第１枚数Ｄ１ｂに係数を乗じた値を第１枚数Ｄ１ｂの推定値として表示する。
【００７０】
制御部１は、カラーの第１印刷枚数、第１平均値、第１乗算値、第１積算値、第１期間内使用量、第１ページ消費量、平均印刷枚数、第１基準消費量を記憶部２に不揮発的に記憶させてもよい。以後、被認証者がブラックの第１残量詳細画面９１ａでカラーボタンＫ１を操作したとき、制御部１は、ステップ♯２３〜ステップ♯２１１をスキップできる。そして、制御部１は、記憶部２が記憶するカラーの第１ページ消費量、第１基準消費量に基づき、カラーの第１枚数Ｄ１ｂと第１日数Ｅ１ｂを求めてもよい。
【００７１】
（第２残量詳細画面の表示）
次に、図１１〜図１６を用いて、実施形態に係る第２残量詳細画面の表示の一例を説明する。図１１は、実施形態に係るブラックの第２残量詳細画面９２ａの表示の流れの一例を示す図である。図１２は実施形態に係るブラックの第２残量詳細画面９２ａの一例を示す図である。図１３は、実施形態に係る第２実績画面９２ｂの一例を示す図である。図１４は、実施形態に係る第２推奨画面９２ｃの一例を示す図である。図１５は、実施形態に係るカラーの第２残量詳細画面９２ｄの表示の流れの一例を示す図である。図１６は実施形態に係るカラーの第２残量詳細画面９２ｄの一例を示す図である。
【００７２】
操作パネル３が第２残量詳細画面を表示させるための操作を受け付けたとき、制御部１は、第２残量詳細画面を表示パネル３１に表示させる。具体的に、何れかの残量詳細画面（第１残量詳細画面又は第３残量詳細画面）でグループボタンＫ２が操作されたとき、制御部１は、ブラックの第２残量詳細画面９２ａを表示パネル３１に表示させる。なお、制御部１は、各残量詳細画面にグループボタンＫ２を表示させる。第２残量詳細画面９２ａは、被認証者の所属グループメンバー（使用者）が画像形成装置１００を使用する場合の印刷可能枚数と印刷可能日数を含む。
【００７３】
図１１のスタートは、グループボタンＫ２を操作した時点である。第１残量詳細画面又は第３残量詳細画面でグループボタンＫ２が操作されたとき、制御部１は、まず、ブラックの第２残量詳細画面９２ａを表示させる。
【００７４】
ここで、使用者情報７では、各使用者が属するグループ７３を設定することができる。例えば、所属部門（部署）を基準に、使用者のグループ７３が設定される。記憶部２は、各使用者が属するグループ７３を定義した使用者情報７を記憶する。使用者情報７に基づき、制御部１は、現在の被認証者（操作パネル３を操作している者）の所属グループを認識できる。
【００７５】
制御部１は、対象期間内に実行された全印刷ジョブの実績情報８を抽出する（ステップ♯３１）。次に、抽出した実績情報８に基づき、制御部１は、グループごとに、ブラックの第２印刷枚数を求める（ステップ♯３２）。ブラックの第２印刷枚数は、対象期間内のグループメンバーによる印刷枚数の合計である。ブラックのトナーは、モノクロ印刷とカラー印刷の両方で用いられるからである。グループメンバーが複数人の場合、第２印刷枚数は、複数人の印刷枚数の合計になる。
【００７６】
抽出した実績情報８に基づき、制御部１は、グループごとに、ブラックの第２平均値を求める（ステップ♯３３）。第２平均値は、対象期間内に実行された印刷ジョブの実績情報８に含まれるブラックの平均画素値８４の平均である。制御部１は、抽出した実績情報８に含まれる平均画素値８４の平均をグループごとに求める。グループが複数人を含む場合、第２平均値は、複数人の実績情報８に含まれる各平均画素値８４の平均になる。
【００７７】
制御部１は、グループごとに、ブラックの第２乗算値を求める（ステップ♯３４）。具体的に、制御部１は、同じグループのブラックの第２印刷枚数とブラックの第２平均値を乗じる。次に、制御部１はブラックの第２積算値を求める（ステップ♯３５）。具体的に、制御部１は、求めた各グループのブラックの第２乗算値を足しあわせる。
【００７８】
制御部１は、ブラックの第２期間内使用量を求める（ステップ♯３６）。具体的に、制御部１は、被認証者が属するグループ（所属グループ）のブラックの第２乗算値を、ブラックの第２積算値で除した値に、ブラックのトナーの満杯量６２を乗ずる。ブラックの第２期間内使用量は、対象期間内に被認証者の所属グループが消費したブラックのトナー量である。続いて、制御部１は、第２ページ消費量Ａ２を求める（ステップ♯３７）。具体的に、制御部１は、ブラックの第２期間内使用量を、被認証者の所属グループのブラックの第２印刷枚数で除す。ブラックの第２ページ消費量Ａ２は、１ページあたりのブラックトナーの平均消費量を示す。また、制御部１は、抽出した実績情報８に基づき、対象期間内での被認証者の所属グループの１日あたりの平均印刷枚数Ｂ２を求める（ステップ♯３８）。制御部１は、被認証者の所属グループの実績情報８のページ数８３の合計を対象期間の日数で除す。
【００７９】
制御部１は、第２基準消費量Ｃ２を求める（ステップ♯３９）。具体的に、制御部１は、ブラックの第２ページ消費量Ａ２に、求めた平均印刷枚数Ｂ２を乗ずる。ブラックの第２基準消費量Ｃ２は、被認証者の所属グループの１日あたりのブラックトナーの平均消費量である。制御部１はブラックのトナー残量を求める（ステップ♯３１０）。制御部１はブラックの第２枚数Ｄ２ａと第２日数Ｅ２ａを求める（ステップ♯３１１）。
【００８０】
第２枚数Ｄ２ａは、被認証者の所属グループの印刷可能枚数である。言い換えると、第２枚数Ｄ２ａは、所属グループメンバー全員が画像形成装置１００でモノクロ印刷する場合の印刷可能枚数である。具体的に、制御部１は、ブラックのトナー残量を、ブラックの第２ページ消費量Ａ２で除す。また、第２日数Ｅ２ａは、被認証者の所属グループの印刷可能な日数である。言い換えると、第２日数Ｅ２ａは、所属グループメンバー全員が画像形成装置１００でモノクロ印刷する場合の印刷可能日数である。具体的に、制御部１は、ブラックのトナー残量を求めたブラックの第２基準消費量Ｃ２で除す。そして、制御部１は、求めたブラックの第２枚数Ｄ２ａと第２日数Ｅ２ａを第２残量詳細画面９２ａに表示させる（ステップ♯３１２）。
【００８１】
図１２は、ブラックの第２残量詳細画面９２ａの一例を示す。ブラックの第２残量詳細画面９２ａに、制御部１は、ブラックのトナーの残量比率、ブラックの第２枚数Ｄ２ａと第２日数Ｅ２ａを表示させる。これにより、使用者はモノクロ印刷の様々な情報を確認できる。
【００８２】
また、制御部１は、第２残量詳細画面９２ａ内に、第２実績詳細ボタンＦ２を表示させる。ブラックの第２残量詳細画面９２ａの第２実績詳細ボタンＦ２が操作されたとき、制御部１は、ブラックのトナーに関する第２実績画面９２ｂを表示パネル３１に表示させる。図１３は、第２実績画面９２ｂの一例を示す。制御部１は、ブラックの第２実績画面９２ｂ内に、被認証者の所属グループのブラックの第２ページ消費量Ａ２、１日当たりの平均印刷枚数Ｂ２、第２基準消費量Ｃ２を表示させる。
【００８３】
また、制御部１は、第２残量詳細画面９２ａ内に、第２推奨機能例ボタンＧ２を表示させる。ブラックの第２残量詳細画面９２ａの第２推奨機能例ボタンＧ２が操作されたとき、制御部１は、モノクロ印刷（ブラックのトナー）に関する第２推奨画面９２ｃを表示パネル３１に表示させる。図１４は、第２推奨画面９２ｃの一例を示す。制御部１は、トナー消費削減に有効な第２推奨設定値Ｈ２を第２推奨画面９２ｃ内に表示させる。図１４の各機能は、図８と同様である。なお、制御部１は、第１推奨画面９１ｃと異なる機能の設定値を第２推奨設定値Ｈ２として表示してもよい。
【００８４】
制御部１は、ブラックの第２印刷枚数、第２平均値、第２乗算値、第２積算値、第２期間内使用量、第２ページ消費量Ａ２、平均印刷枚数Ｂ２、第２基準消費量Ｃ２を記憶部２に不揮発的に記憶させてもよい。以後、被認証者がグループボタンＫ２を操作したとき、制御部１は、ステップ♯３１〜ステップ♯３９をスキップしてもよい。そして、制御部１は、記憶部２が記憶する第２ページ消費量Ａ２、平均印刷枚数Ｂ２、第２基準消費量Ｃ２に基づき、ブラックの第２枚数Ｄ２ａと第２日数Ｅ２ａを求めてもよい。
【００８５】
モノクロ印刷だけではなく、カラートナーに関する第２残量詳細画面９２ｄを表示させることもできる。図１５は、実施形態に係るカラーの第２残量詳細画面９２ｄの表示の流れの一例を示す図である。
【００８６】
ブラックの第２残量詳細画面９２ａの表示中、カラーボタンＫ１が操作されたとき、制御部１は、カラートナーに関する第２残量詳細画面９２ｄを表示パネル３１に表示させる。図１５のスタートは、ブラックの第２残量詳細画面９２ａの表示中、カラーボタンＫ１が操作された時点である。
【００８７】
まず、制御部１は、カラー（イエロー、シアン、マゼンタ）のトナーの残量比率を止める（ステップ♯４１）。そして、制御部１は、カラートナーのうち、残量比率が最も小さい色（以下、最小色という）を認識する（ステップ♯４２）。次に、制御部１は、対象期間内に実行されたカラー印刷のジョブの実績情報８を抽出する（ステップ♯４３）。次に、抽出したカラー印刷の実績情報８に基づき、制御部１は、グループごとに、カラーの第２印刷枚数を求める（ステップ♯４４）。求める第２印刷枚数は、対象期間内で各グループのカラー印刷の枚数である。
【００８８】
抽出した実績情報８に基づき、制御部１は、グループごとに、カラーの第２平均値を求める（ステップ♯４５）。制御部１は、対象期間内に実行されたカラーの印刷ジョブの実績情報８に含まれる最小色の平均画素値８４を認識する。制御部１は、認識した最小色の平均画素値８４の平均値をカラーの第２平均値とする。言い換えると、制御部１は、抽出したカラー印刷の実績情報８に含まれる平均画素値８４の平均をグループごとに求める。制御部１は、最小色についてのみ、第２平均値を求める。
【００８９】
制御部１は、グループごとに、カラーの第２乗算値を求める（ステップ♯４６）。具体的に、制御部１は、同じグループのカラーの第２印刷枚数とカラーの第２平均値を乗じる。次に、制御部１はカラーの第２積算値を求める（ステップ♯４７）。具体的に、制御部１は、各グループのカラーの第２乗算値を足しあわせる。
【００９０】
制御部１は、カラーの第２期間内使用量を求める（ステップ♯４８）。具体的に、制御部１は、被認証者の所属グループのカラーの第２乗算値を、カラーの第２積算値で除した値に、最小色のトナーの満杯量６２を乗ずる。カラーの第２期間内使用量は、対象期間内の所属グループによる最小色のトナー消費量である。続いて、制御部１は、カラーの第２ページ消費量を求める（ステップ♯４９）。具体的に、制御部１は、カラーの第２期間内使用量を被認証者の所属グループのカラーの第２印刷枚数で除す。第２ページ消費量は最小色に関する。第２ページ消費量はカラー印刷での１ページあたりの平均トナー消費量を示す。また、制御部１は、抽出した実績情報８に基づき、対象期間内での被認証者の所属グループの１日あたりのカラーの平均印刷枚数を求める（ステップ♯４１０）。制御部１は、被認証者の所属グループがカラー印刷した実績情報８のページ数の合計を対象期間の日数で除す。
【００９１】
制御部１はカラーの第２基準消費量を求める（ステップ♯４１１）。具体的に、制御部１は、カラーの第２ページ消費量に、カラーの平均印刷枚数を乗ずる。カラーの第２基準消費量は、カラー印刷での１日あたりの最小色のトナーの平均消費量を示す。そして、制御部１は最小色のトナー残量を求める（ステップ♯４１２）。制御部１は、カラーの第２枚数Ｄ２ｂと第２日数Ｅ２ｂを求める（ステップ♯４１３）。
【００９２】
第２枚数Ｄ２ｂは、被認証者の所属グルーブのメンバーのみが画像形成装置１００を用いる場合に、カラー印刷可能な枚数を示す。具体的に、制御部１は、最小色のトナー残量をカラーの第２ページ消費量で除す。第２日数Ｅ２ｂは、所属グルーブのメンバーのみが画像形成装置１００を用いる場合に、カラー印刷可能な日数を示す。具体的に、制御部１は、最小色のトナー残量をカラーの第２基準消費量で除す。そして、制御部１は、求めたカラーの第２枚数Ｄ２ｂと第２日数Ｅ２ｂを、カラーの第２残量詳細画面９２ｄに表示させる（ステップ♯４１４）。
【００９３】
図１６は、カラーの第２残量詳細画面９２ｄの一例を示す。制御部１は、カラーの第２各色のトナーの残量比率、カラーの第２枚数Ｄ２ｂ、カラーの第２日数Ｅ２ｂを残量詳細画面９２ｄに表示させる。第２枚数Ｄ２ｂと第２日数Ｅ２ｂは最小色のトナー残量に基づき求められる。
【００９４】
また、制御部１は、カラーの第２残量詳細画面９２ｄ内に、第２実績詳細ボタンＦ２を表示させる。カラーの第２残量詳細画面９２ｄの第２実績詳細ボタンＦ２が操作されたとき、制御部１は、カラーの第２実績画面を表示パネル３１に表示させる（図１３と同様）。制御部１は、カラーの第２実績画面内に、被認証者の所属グループのカラーの第２ページ消費量、第２基準消費量、１日当たりの平均印刷枚数を表示させる。
【００９５】
また、制御部１は、カラーの第２残量詳細画面９２ｄ内に、第２推奨機能例ボタンＧ２を表示させる。カラーの第２残量詳細画面９２ｄの第２推奨機能例ボタンＧ２が操作されたとき、制御部１は、カラートナーに関する第２推奨画面を表示パネル３１に表示させる（図１４と同様）。制御部１は、トナー消費削減に有効な第２推奨設定値Ｈ２を表示させる。表示される第２推奨設定値Ｈ２は、モノクロ印刷とカラー印刷で変えてもよいし、同じでもよい。第２推奨設定値Ｈ２ごとに係数が予め定められる。係数は１以上である。例えば、「２ｉｎ１」の係数は２である。制御部１は、カラーの第２枚数Ｄ２ｂに係数を乗じた値を第２枚数Ｄ２ｂの推定値として表示する。
【００９６】
制御部１は、カラーの第２印刷枚数、第２平均値、第２乗算値、第２積算値、第２期間内使用量、第２ページ消費量、平均印刷枚数、第２基準消費量を記憶部２に不揮発的に記憶させてもよい。以後、同じ被認証者がブラックの第２残量詳細画面９２ａでカラーボタンＫ１を操作したとき、制御部１は、ステップ♯４３〜ステップ♯４１１をスキップできる。そして、制御部１は、記憶部２が記憶するカラーの第２ページ消費量、第２基準消費量に基づき、カラーの第２枚数Ｄ２ｂと第２日数Ｅ２ｂを求めてもよい。
【００９７】
（第３残量詳細画面の表示）
次に、図１７〜図２２を用いて、実施形態に係る第３残量詳細画面の表示の一例を説明する。図１７は、実施形態に係るブラックの第３残量詳細画面９３ａの表示の流れの一例を示す図である。図１８は実施形態に係るブラックの第３残量詳細画面９３ａの一例を示す図である。図１９は、実施形態に係る第３実績画面９３ｂの一例を示す図である。図２０は、実施形態に係る第３推奨画面９３ｃの一例を示す図である。図２１は、実施形態に係るカラーの第３残量詳細画面９３ｄの表示の流れの一例を示す図である。図２２は実施形態に係るカラーの第３残量詳細画面９３ｄの一例を示す図である。
【００９８】
操作パネル３が第３残量詳細画面を表示させるための操作を受け付けたとき、制御部１は、第３残量詳細画面を表示パネル３１に表示させる。具体的に、ブラック又はカラーの第１残量詳細画面又は第２残量詳細画面で全体ボタンＫ３が操作されたとき、制御部１は、第３残量詳細画面９３ａを表示パネル３１に表示させる。制御部１は、各残量詳細画面に全体ボタンＫ３を表示させる。第３残量詳細画面９３ａは、使用者全員が画像形成装置１００を使用する場合の印刷可能枚数と、印刷可能日数を含む。
【００９９】
図１７のスタートは、操作パネル３が全体ボタンＫ３の操作を受け付けた時点である。ブラック又はカラーの第１残量詳細画面、第２残量詳細画面で全体ボタンＫ３が操作されたとき、制御部１は、まず、ブラックの第３残量詳細画面９３ａを表示させる。
【０１００】
制御部１は、対象期間内に実行された印刷ジョブの全実績情報８を抽出する（ステップ♯５１）。次に、抽出した実績情報８に基づき、制御部１は、ブラックの第３印刷枚数を求める（ステップ♯５２）。ブラックの第３印刷枚数は対象期間内の全印刷枚数である。ブラックのトナーは、モノクロ印刷とカラー印刷の両方で用いられるからである。
【０１０１】
制御部１は、ブラックの第３ページ消費量Ａ３を求める（ステップ♯５３）。具体的に、ブラックのトナーの満杯量６２をブラックの第３印刷枚数で除す。第３ページ消費量Ａ３は、１ページあたりのブラックのトナーの平均消費量を示す。また、制御部１は、抽出した実績情報８に基づき、対象期間内での１日あたりの平均印刷枚数Ｂ３を求める（ステップ♯５４）。ここでの平均印刷枚数Ｂ３は使用者全員を対象とする。
【０１０２】
制御部１は第３基準消費量Ｃ３を求める（ステップ♯５５）。具体的に、制御部１は、ブラックの第３ページ消費量Ａ３に、求めた平均印刷枚数Ｂ３を乗ずる。ブラックの第３基準消費量Ｃ３は、使用者全員を対象とする。ブラックの第３基準消費量Ｃ３は、１日あたりのブラックトナーの平均消費量である。制御部１はブラックのトナー残量を求める（ステップ♯５６）。そして、制御部１は、ブラックの第３枚数Ｄ３ａと第３日数Ｅ３ａを求める（ステップ♯５７）。
【０１０３】
第３枚数Ｄ３ａは、モノクロ印刷可能な枚数である。第３枚数Ｄ３ａは、使用者全員が画像形成装置１００を使用する場合に、モノクロでの印刷可能枚数を示す。具体的に、制御部１は、ブラックのトナー残量を、ブラックの第３ページ消費量Ａ３で除す。また、第３日数Ｅ３ａは印刷可能な日数である。言い換えると、第３日数Ｅ３ａは、使用者全員が画像形成装置１００を使用する場合に、モノクロでの印刷可能な日数を示す。具体的に、制御部１は、ブラックのトナー残量をブラックの第３基準消費量Ｃ３で除す。制御部１は、ブラックの第３枚数Ｄ３ａと第３日数Ｅ３ａを第３残量詳細画面９３ａに表示させる（ステップ♯５１２）。
【０１０４】
図１８は、ブラックの第３残量詳細画面９３ａの一例を示す。ブラックの第３残量詳細画面９３ａに、制御部１は、ブラックのトナーの残量比率、ブラックの第３枚数Ｄ３ａ、ブラックの第３日数Ｅ３ａを表示させる。これにより、使用者はブラックトナーの様々な情報を確認できる。
【０１０５】
また、制御部１は、第３残量詳細画面９３ａ内に、第３実績詳細ボタンＦ３を表示させる。ブラックの第３残量詳細画面９３ａの第３実績詳細ボタンＦ３が操作されたとき、制御部１は、ブラックのトナーに関する第３実績画面９３ｂを表示パネル３１に表示させる。図１９は、第３実績画面９３ｂの一例を示す。制御部１は、使用者全体、かつ、ブラックの第３ページ消費量Ａ３、１日当たりの平均印刷枚数Ｂ３、第３基準消費量Ｃ３をブラックの第３実績画面９３ｂ内に表示させる。
【０１０６】
また、制御部１は、第３残量詳細画面９３ａ内に、第３推奨機能例ボタンＧ３を表示させる。ブラックの第３残量詳細画面９３ａの第３推奨機能例ボタンＧ３が操作されたとき、制御部１は、モノクロ印刷（ブラックのトナー）に関する第３推奨画面９３ｃを表示パネル３１に表示させる。図２０は、第３推奨画面９３ｃの一例を示す。制御部１は、トナー消費削減に有効な第３推奨設定値Ｈ３を第３推奨画面９３ｃ内に表示させる。図２０の各機能は、図８と同様である。なお、制御部１は、第１推奨画面９１ｃと異なる機能の設定値を第３推奨設定値Ｈ３として表示してもよい。
【０１０７】
制御部１は、ブラックの第３印刷枚数、第３ページ消費量Ａ３、平均印刷枚数Ｂ３、第３基準消費量Ｃ３を記憶部２に不揮発的に記憶させてもよい。以後、全体ボタンＫ３が操作されたとき、制御部１は、ステップ♯５１〜ステップ♯５５をスキップしてもよい。そして、制御部１は、記憶部２が記憶する第３ページ消費量Ａ３、平均印刷枚数Ｂ３、第３基準消費量Ｃ３に基づきブラックの第３枚数Ｄ３ａと第３日数Ｅ３ａを求めてもよい。
【０１０８】
モノクロ印刷だけではなく、カラートナーに関する第３残量詳細画面９３ｄを表示させることもできる。図２１は、実施形態に係るカラーの第３残量詳細画面９３ｄの表示の流れの一例を示す図である。
【０１０９】
ブラックの第３残量詳細画面９３ａの表示中、カラーボタンＫ１が操作されたとき、制御部１は、カラートナーに関する第３残量詳細画面９３ｄを表示パネル３１に表示させる。図２１のスタートは、ブラックの第３残量詳細画面９３ａの表示中、カラーボタンＫ１が操作された時点である。
【０１１０】
まず、制御部１は、カラートナー（イエロー、シアン、マゼンタ）の残量比率を止める（ステップ♯６１）。そして、制御部１は最小色を認識する（ステップ♯６２）。次に、制御部１は、対象期間内に実行されたカラーの印刷ジョブの実績情報８を抽出する（ステップ♯６３）。次に、抽出したカラー印刷の実績情報８に基づき制御部１は、第３印刷枚数を求める（ステップ♯６４）。求める第３印刷枚数は、対象期間内でのカラー印刷の合計枚数である。
【０１１１】
続いて、制御部１は、カラーの第３ページ消費量を求める（ステップ♯６５）。具体的に、制御部１は、最小色のトナーの満杯量６２をカラーの第３印刷枚数で除す。第３ページ消費量は最小色に関する。第３ページ消費量はカラー印刷での１ページあたりの平均トナー消費量を示す。また、制御部１は、抽出した実績情報８に基づき、対象期間内での１日あたりのカラーの平均印刷枚数を求める（ステップ♯６６）。
【０１１２】
制御部１はカラーの第３基準消費量を求める（ステップ♯６７）。具体的に、制御部１は、カラーの第３ページ消費量に、カラーの平均印刷枚数を乗ずる。カラーの第３基準消費量は、カラー印刷での１日あたりの最小色のトナーの平均消費量を示す。そして、制御部１は最小色のトナー残量を求める（ステップ♯６８）。制御部１は、カラーの第３枚数Ｄ３ｂと第３日数Ｅ３ｂを求める（ステップ♯６９）。
【０１１３】
第３枚数Ｄ３ｂは、使用者全員が画像形成装置１００を用いる場合に、カラー印刷可能な枚数である。具体的に、制御部１は、最小色のトナー残量をカラーの第３ページ消費量で除す。第３日数Ｅ３ｂは、使用者全員が画像形成装置１００を用いる場合に、カラー印刷可能な日数である。具体的に、制御部１は、最小色のトナー残量をカラーの第３基準消費量で除す。制御部１は、求めたカラーの第３枚数Ｄ３ｂと第３日数Ｅ３ｂを、カラーの第３残量詳細画面９３ｄに表示させる（ステップ♯６１０）。
【０１１４】
図２２は、カラーの第３残量詳細画面９３ｄの一例を示す。カラーの第３残量詳細画面９３ｄに、制御部１は、各色のトナーの残量比率、カラーの第３枚数Ｄ３ｂ、カラーの第３日数Ｅ３ｂを表示させる。第３枚数Ｄ３ｂと第３日数Ｅ３ｂは最小色のトナー残量に基づき求められる。
【０１１５】
また、制御部１は、カラーの第３残量詳細画面９３ｄ内に、第３実績詳細ボタンＦ３を表示させる。カラーの第３残量詳細画面９３ｄの第３実績詳細ボタンＦ３が操作されたとき、制御部１は、カラーの第３実績画面を表示パネル３１に表示させる（図１９と同様）。制御部１は、カラーの第３実績画面内に、被認証者のカラーの第３ページ消費量、第３基準消費量、１日当たりの平均印刷枚数を表示させる。
【０１１６】
また、制御部１は、カラーの第３残量詳細画面９３ｄ内に、第３推奨機能例ボタンＧ３を表示させる。カラーの第３残量詳細画面９３ｄの第３推奨機能例ボタンＧ３が操作されたとき、制御部１は、カラートナーに関する第３推奨画面を表示パネル３１に表示させる（図２０と同様）。制御部１は、トナー消費削減に有効な第３推奨設定値Ｈ３を表示させる。表示される第３推奨設定値Ｈ３は、モノクロ印刷とカラー印刷で変えてもよいし、同じでもよい。第３推奨設定値Ｈ３ごとに係数が予め定められる。係数は１以上である。例えば、「２ｉｎ１」の係数は２である。制御部１は、カラーの第３枚数Ｄ３ｂに係数を乗じた値を第３枚数Ｄ３ｂの推定値として表示する。
【０１１７】
制御部１は、カラーの第３印刷枚数、第３ページ消費量、平均印刷枚数、第３基準消費量を記憶部２に不揮発的に記憶させてもよい。以後、同じ被認証者がブラックの第３残量詳細画面９３ａでカラーボタンＫ１を操作したとき、制御部１は、ステップ♯６３、ステップ♯６４をスキップできる。そして、制御部１は、記憶部２が記憶するカラーの第３ページ消費量、第３基準消費量に基づき、カラーの第３枚数Ｄ３ｂと第３日数Ｅ３ｂを求めてもよい。
【０１１８】
このようにして、実施形態に係る画像形成装置１００は、印刷部４、トナー容器５、記憶部２、操作パネル３、制御部１を含む。印刷部４は、トナーを用いて印刷を行う。トナー容器５は補給に用いるトナーを収容する。トナー容器５は交換可能である。記憶部２はトナー残量を求めるための残量情報６を記憶する。操作パネル３は表示パネル３１と操作部（タッチパネル３２、ハードキー３３）を含む。制御部１は、残量情報６に基づきトナー残量を求める。記憶部２は、使用者を認証するための使用者情報７を記憶する。また、記憶部２は、実行された印刷ジョブの情報である実績情報８を記憶する。制御部１は、使用者情報７に基づき、印刷ジョブの実行者を認識する。制御部１は、印刷ジョブの実行者名７１を含む実績情報８を記憶部２に記憶させる。制御部１は、操作パネル３に入力された認証用情報と使用者情報７に基づき使用者を認証する。認証した使用者である被認証者が第１残量詳細画面９１ａ、９１ｄを表示させる操作を行ったとき、制御部１は、実績情報８に基づき、被認証者の印刷物の１ページあたりのトナーの消費量である第１ページ消費量と被認証者の１日あたりのトナーの平均消費量である第１基準消費量を求める。制御部１は、求めた第１ページ消費量でトナー残量を除して、被認証者が印刷可能な枚数である第１枚数Ｄ１ａ、Ｄ１ｂを求める。制御部１は、トナー残量を求めた第１基準消費量で除して、被認証者が印刷可能な日数である第１日数Ｅ１ａ、Ｅ１ｂを求める。制御部１は、求めた第１枚数Ｄ１ａ、Ｄ１ｂと、求めた第１日数Ｅ１ａ、Ｅ１ｂを第１残量詳細画面９１ａ、９１ｄに表示させる。実績情報８は、印刷ジョブの実行者８１、実行日時８２、ページ数８３、印刷に用いられた画像データの平均画素値８４を含む。実際のトナーの使用実績に基づき、残量に関する複数の情報を表示することができる。被認証者のみが画像形成装置１００を使用する場合に、トナー切れまでに印刷可能な枚数と印刷可能な日数を表示することができる。
【０１１９】
制御部１は、実績情報８に基づき使用者ごとに、新たなトナー容器５が取り付けられてから交換されるまでの期間である対象期間内でのページ数印刷枚数８３である第１印刷枚数を求める。制御部１は、実績情報８に基づき使用者ごとに、対象期間内に実行された各印刷ジョブに用いられた画像データの平均画素値８４の平均である第１平均値を求める。制御部１は、使用者ごとに、第１印刷枚数と第１平均値を乗じて第１乗算値を求める。制御部１は、各使用者の第１乗算値を足しあわせて第１積算値を求める。制御部１は、被認証者の第１乗算値を第１積算値で除した値に、満杯時のトナー容器５のトナー量である満杯量６２を乗じて、被認証者の対象期間内でのトナー消費量である第１期間内使用量を求める。制御部１は、第１期間内使用量を被認証者の第１印刷枚数で除して第１ページ消費量を求める。制御部１は、求めた第１ページ消費量に、対象期間内での被認証者の１日あたりの平均印刷枚数を乗じて第１基準消費量を求める。第１ページ消費量と第１基準消費量を正確に求めることができる。正確な第１枚数Ｄ１ａ、Ｄ１ｂと第１日数Ｅ１ａ、Ｅ１ｂを正確に表示することができる。
【０１２０】
また、制御部１は、第１残量詳細画面内に第１実績詳細ボタンＦ１を表示させる。第１実績詳細ボタンＦ１が操作されたとき、制御部１は第１実績画面を表示パネル３１に表示させる。制御部１は被認証者の第１ページ消費量と、第１基準消費量と、被認証者の１日あたりの平均印刷枚数を第１実績画面内に表示させる。被認証者個人のトナーの使用状況を知らせることができる。
【０１２１】
制御部１は、第１残量詳細画面内に第１推奨機能例ボタンＧ１を表示させる。第１推奨機能例ボタンＧ１が操作されたとき、制御部１は第１推奨画面を表示パネル３１に表示させる。制御部１はトナー消費削減に有効な第１推奨設定値Ｈ１を第１推奨画面内に表示させる。画像形成装置１００が持つ機能（設定値）のうち、トナー消費削減に有効な設定値を被認証者に知らせることができる。
【０１２２】
制御部１は、第１推奨設定値Ｈ１の設定パターンを複数、第１推奨画面内に表示させる。制御部１は設定パターンを適用したときの第１枚数Ｄ１ａ、Ｄ１ｂの推定値を表示パネル３１に表示させる。第１推奨設定値Ｈ１を設定し、かつ、被認証者のみが使用した場合におけるトナー切れまでに印刷可能な枚数の推定値を表示することができる。
【０１２３】
記憶部２は、使用者が属するグループを定義した使用者情報７を記憶する。制御部１は、グループボタンＫ２を表示パネル３１に表示させる。グループボタンＫ２が操作されたとき、制御部１は被認証者が属するグループである所属グループを認識する。制御部１は、実績情報８に基づき、グループでの１ページあたりのトナーの消費量である第２ページ消費量と、グループの１日あたりのトナーの消費量である第２基準消費量と、を求める。制御部１はトナー残量を求めた第２ページ消費量で除して、所属グループで印刷可能な枚数である第２枚数Ｄ２ａ、Ｄ２ｂを求める。制御部１は、トナー残量を求めた第２基準消費量Ｃ２で除して、所属グループで印刷可能な日数である第２日数Ｅ２ａ、Ｅ２ｂを求める。制御部１は、求めた第２枚数Ｄ２ａ、Ｄ２ｂと、求めた第２日数Ｅ２ａ、Ｅ２ｂを第２残量詳細画面９２ａ、９２ｄに表示させる。実際のトナーの使用実績に基づき、残量に関する複数の情報を表示することができる。被認証者の所属グループの各人が使用する場合に、トナー切れまでに印刷可能な枚数と日数を表示することができる。
【０１２４】
制御部１は、実績情報８に基づきグループごとに、新たなトナー容器５が取り付けられてから交換されるまでの期間である対象期間内に印刷した枚数である第２印刷枚数を求める。制御部１は、実績情報８に基づきグループごとに、対象期間内に実行された各印刷ジョブでの各画像データの平均画素値８４である第２平均値を求める。制御部１は、同じグループの第２印刷枚数と第２平均値を乗じて第２乗算値を求める。制御部１は、各グループの第２乗算値を足しあわせた第２積算値を求める。制御部１は、所属グループの第２乗算値を第２積算値で除した値に、満杯時のトナー容器５のトナー量である満杯量６２を乗じて、所属グループの対象期間内でのトナー消費量である第２期間内使用量を求める。制御部１は、所属グループの第２印刷枚数で第２期間内使用量を除して第２ページ消費量Ａ２を求める。制御部１は、求めた第２ページ消費量に、対象期間内での所属グループの１日あたりの平均印刷枚数を乗じて、第２基準消費量を求める。第２ページ消費量と第２基準消費量を正確に求めることができる。正確な第２枚数Ｄ２ａ、Ｄ２ｂと第２日数Ｅ２ａ、Ｅ２ｂを表示することができる。
【０１２５】
制御部１は、第２残量詳細画面９２ａ、９２ｄ内に第２実績詳細ボタンＦ２を表示させる。制御部１は、第２実績詳細ボタンＦ２が操作されたとき、第２実績画面を表示パネル３１に表示させる。制御部１は所属グループの第２ページ消費量と、第２基準消費量と、所属グループの１日あたりの平均印刷枚数を第２実績画面内に表示させる。所属グループのトナーの使用状況を知らせることができる。
【０１２６】
制御部１は、第２残量詳細画面９２ａ、９２ｄ内に第２推奨機能例ボタンＧ２を表示させる。第２推奨機能例ボタンＧ２が操作されたとき、制御部１は第２推奨画面を表示パネル３１に表示させる。制御部１はトナー消費削減に有効な第２推奨設定値Ｈ２を第２推奨画面内に表示させる。画像形成装置１００が持つ機能（設定値）のうち、トナー消費削減に有効な設定値を被認証者に知らせることができる。
【０１２７】
制御部１は、第２推奨設定値Ｈ２の設定パターンを複数、第２推奨画面内に表示させる。制御部１は設定パターンを適用したときの第２枚数Ｄ２ａＤ２ｂの推定値を表示パネル３１に表示させる。第２推奨設定値Ｈ２を設定し、かつ、被認証者の所属グループの各人が使用する場合において、トナー切れまでに印刷可能な枚数の推定値を表示することができる。
【０１２８】
制御部１は、全体ボタンＫ３を表示パネル３１に表示させる。全体ボタンＫ３が操作されたとき、制御部１は実績情報８に基づき、１ページあたりのトナーの消費量の平均値である第３ページ消費量と、１日あたりのトナーの消費量の平均値である第３基準消費量とを求める。制御部１はトナー残量を求めた第３ページ消費量で除して第３枚数Ｄ３ａ、Ｄ３ｂを求める。制御部１はトナー残量を求めた第３基準消費量で除して、第３日数Ｅ３ａ、Ｅ３ｂを求める。制御部１は求めた第３枚数Ｄ３ａ、Ｄ３ｂと、求めた第３日数Ｅ３ａ、Ｅ３ｂを第３残量詳細画面９３ａ、９３ｄに表示させる。実際のトナーの使用実績に基づき、残量に関する複数の情報を表示できる。全員が画像形成装置１００を使用する場合に、トナー切れまでに印刷可能な枚数と印刷可能な日数を表示することができる。
【０１２９】
制御部１は実績情報８に基づき新たなトナー容器５が取り付けられてから交換されるまでの期間である対象期間内に印刷した枚数である第３印刷枚数を求める。制御部１は満杯時のトナー容器５のトナー量である満杯量６２を第３印刷枚数で除して第３ページ消費量を求める。制御部１は求めた第３ページ消費量に、対象期間内での１日あたりの平均印刷枚数を乗じて、第３基準消費量を求める。第３ページ消費量と第３基準消費量を正確に求めることができる。正確な第３枚数Ｄ３ａ、Ｄ３ｂと第３日数Ｅ３ａ、Ｅ３ｂを表示することができる。
【０１３０】
第３残量詳細画面９３ａ、９３ｄ内に配された第３実績詳細ボタンＦ３が操作されたとき、制御部１は第３実績画面を表示パネル３１に表示させる。制御部１は第３ページ消費量と、第３基準消費量と、１日あたりの平均印刷枚数を第３実績画面内に表示させる。画像形成装置１００を全員が使用する場合のトナーの使用状況を知らせることができる。
【０１３１】
制御部１は、第３残量詳細画面９３ａ、９３ｄ内に第３推奨機能例ボタンＧ３を表示させる。第３推奨機能例ボタンＧ３が操作されたとき、制御部１は第３推奨画面を表示パネル３１に表示させる。制御部１はトナー消費削減に有効な第３推奨設定値Ｈ３を第３推奨画面内に表示させる。画像形成装置１００が持つ機能（設定値）のうち、トナー消費削減に有効な設定値を被認証者に知らせることができる。
【０１３２】
制御部１は、第３推奨設定値Ｈ３の設定パターンを複数、第３推奨画面内に表示させる。制御部１は設定パターンを適用したときの第３枚数Ｄ３ａ、Ｄ３ｂの推定値を表示パネル３１に表示させる。第３推奨設定値Ｈ３を設定し、かつ、使用者全員が画像形成装置１００を使用する場合において、トナー切れまでに印刷可能な枚数の推定値を表示することができる。
【０１３３】
次に、他の実施形態を説明する。図２３は、他の実施形態の一例を示す図である。図２３に示すように、表示パネル３１の表示領域内に、トナー残量表示エリア３０を設けてもよい。トナー残量表示エリア３０に、制御部１は、各色のトナーの残量比率、第１枚数Ｄ１ａ、Ｄ１ｂ、第１日数Ｅ１ａ、Ｅ１ｂ、第２枚数Ｄ２ａ、Ｄ２ｂ、第２日数Ｅ２ａ、Ｅ２ｂ、第３枚数Ｄ３ａ、Ｄ３ｂ、第３日数Ｅ３ａ、Ｅ３ｂを順番に表示させてもよい。この場合、制御部１は、予め定められた切り替え周期で表示する値を切り替える。切り替え周期は、例えば、２秒程度である。操作パネル３は切り替え周期の設定を受け付けてもよい。この場合、制御部１は、設定された切り替え周期で表示する値を切り替える。
【０１３４】
また、操作パネル３は、使用者の管理の設定をするか否かを受け付けてもよい。使用者の管理をする設定がなされているとき、制御部１は、実績情報８に印刷実行者を含ませる。使用者の管理をする設定がなされているとき、制御部１は、第１残量詳細画面９１ａ、９１ｄ、第２残量詳細画面９２ａ、９２ｄ、又は、第３残量詳細画面９３ａ、９３ｄを表示させる。使用者の管理をしない設定がなされているとき、制御部１は、実績情報８に印刷の実行者８１を含ませない。使用者の管理しない設定がなされているとき、制御部１は、第３残量詳細画面９３ａ、９３ｄのみを表示させる。操作パネル３が残量詳細画面を表示させるための操作を受け付けたとき、制御部１は、第３残量詳細画面９３ａ、９３ｄのみを表示させる。
【０１３５】
以上、本発明の実施形態につき説明したが、本発明の範囲はこれに限定されるものではなく、発明の主旨を逸脱しない範囲で種々の変更を加えて実施することができる。
【産業上の利用可能性】
【０１３６】
本発明はトナーを用いて印刷する画像形成装置に利用可能である。
【符号の説明】
【０１３７】
１００  画像形成装置                  １      制御部
２      記憶部                        ３      操作パネル
３１    表示パネル                    ３２    タッチパネル（操作部）
３３    ハードキー（操作部）          ４      印刷部
５      トナー容器                    ６      残量情報
６２    満杯量                        ７      使用者情報
８      実績情報                      ９１ａ  第１残量詳細画面
９１ｂ  第１実績画面                  ９１ｃ  第１推奨画面
９１ｄ  第１残量詳細画面              ９２ａ  第２残量詳細画面
９２ｄ  第２残量詳細画面              ９２ｂ  第２実績画面
９２ｃ  第２推奨画面                  ９３ａ  第３残量詳細画面
９３ｂ  第３実績画面                  ９３ｄ  第３残量詳細画面
９３ｃ  第３推奨画面                  Ｄ１ａ  第１枚数
Ｄ１ｂ  第１枚数                      Ｄ２ａ  第２枚数
Ｄ２ｂ  第２枚数                      Ｄ３ａ  第３枚数
Ｄ３ｂ  第３枚数                      Ｅ１ａ  第１日数
Ｅ１ｂ  第１日数                      Ｅ２ａ  第２日数
Ｅ２ｂ  第２日数                      Ｅ３ａ  第３日数
Ｅ３ｂ  第３日数                      Ｆ１    第１実績詳細ボタン
Ｆ２    第２実績詳細ボタン            Ｆ３    第３実績詳細ボタン
Ｇ１    第１推奨機能例ボタン          Ｇ２    第２推奨機能例ボタン
Ｇ３    第３推奨機能例ボタン          Ｈ１    第１推奨設定値
Ｈ２    第２推奨設定値                Ｈ３    第３推奨設定値
Ｋ２    グループボタン                Ｋ３    全体ボタン
【図１】
2019139019.tif 000003
【図２】
2019139019.tif 000004
【図３】
2019139019.tif 000005
【図４】
2019139019.tif 000006
【図５】
2019139019.tif 000007
【図６】
2019139019.tif 000008
【図７】
2019139019.tif 000009
【図８】
2019139019.tif 000010
【図９】
2019139019.tif 000011
【図１０】
2019139019.tif 000012
【図１１】
2019139019.tif 000013
【図１２】
2019139019.tif 000014
【図１３】
2019139019.tif 000015
【図１４】
2019139019.tif 000016
【図１５】
2019139019.tif 000017
【図１６】
2019139019.tif 000018
【図１７】
2019139019.tif 000019
【図１８】
2019139019.tif 000020
【図１９】
2019139019.tif 000021
【図２０】
2019139019.tif 000022
【図２１】
2019139019.tif 000023
【図２２】
2019139019.tif 000024
【図２３】
2019139019.tif 000025